(57)【要約】【課題】一種類の笠木で各種の厚さの外装材に対応することができ、かつ、笠木をパラペット躯体の外装材から張り出すことなく取り付けできるようにした構造条件の下で、支柱を立てて上方にパネルを配設する際、パネル下端縁に沿って設けられる下胴縁を支持する束柱を笠木の上面で支持可能とする。【解決手段】パネル8は、上端縁に沿って設けられる上胴縁9Aが手摺Hに固定されることによって支持され、該パネル8の下端縁に沿って設けられる下胴縁9が支柱10の立設位置において支柱10に固定されるとともに、支柱10、10の立設位置の中間において下胴縁9と調整笠木4Bとの間に束柱11を立設することによって支持され、少なくとも、笠木本体4Aの連結部43と調整笠木4Bの被連結部411とが室内外方向の異なる位置で係合して固定される範囲内で、束柱11の下面が調整笠木4Bの上面壁49に当接するように、調整笠木4Bの上面壁49の室内外方向の幅寸法を設定する。【選択図】図５
2010024669.tif 000002
【特許請求の範囲】
【請求項１】
パラペット躯体の上端面にベースアンカを固着し、そのベースアンカに笠木を固定してその笠木の屋外側垂下壁と屋内側垂下壁とで前記パラペット躯体の上端部の屋外側面と屋内側面を隠蔽するとともに、前記パラペット躯体の上端部から所定間隔で支柱を設け、パネルを上胴縁と前記笠木との間に隙間を空けた状態で支柱に取り付けられた下胴縁とによって支持させるようにしたベランダ用柵であって、
前記笠木は、ベースアンカに固定される笠木本体と、その笠木本体に連結される調整笠木とに分割して構成され、
前記笠木本体は、前記ベースアンカの上方を覆う上面壁の屋内側端部に前記屋内側垂下壁を有するとともに、前記上面壁の屋外側端部に連結部を有し、
前記調整笠木は、前記笠木本体の上面壁の屋外側部分を被覆する上面壁を有するとともに、その上面壁の屋外側端部から垂下し、パラペット躯体の屋外側の外装材の屋外側面に当接する前記屋外側垂下壁を有し、その屋外側垂下壁の上部の屋内側面に前記笠木本体の連結部と屋内外方向の異なる位置で係合して固定される被連結部を有し、
前記下胴縁は、前記支柱間において前記調整笠木との間に束柱を立設することによって支持され、
少なくとも、前記笠木本体の連結部と前記調整笠木の被連結部とが室内外方向の異なる位置で係合して固定される範囲内で、前記束柱の下面が前記調整笠木の上面壁に当接するように、前記調整笠木の上面壁の室内外方向の幅寸法が設定されていることを特徴とするベランダ用柵。
【請求項２】
前記笠木本体の連結部は、前記笠木本体の上面壁の屋外側端部に屋外方向に開口する所定深さの嵌合溝からなり、前記調整笠木の被連結部は、前記調整笠木の屋外側垂下壁の屋内側面に突設され、前記笠木本体の嵌合溝に強制嵌合して固定される被嵌合部からなる請求項１記載のベランダ用柵。
【請求項３】
前記笠木本体の嵌合溝は、その上下に隔てて存在する壁面に互いに対向する鋸歯状係止面を設けてなるものであり、前記調整笠木の被嵌合部は、上下に隔てられた平行な板の先端に前記嵌合溝の上下の鋸歯状係止面に係止される爪を設けてなるものである請求項２記載のベランダ用柵。
【請求項４】
前記調整笠木の被嵌合部は、前記調整笠木とは別に成形された短尺物であり、前記調整笠木の屋外側垂下壁の長手方向に間隔をおいて装着されている請求項２、３いずれかに記載のベランダ用柵。
【請求項５】
前記調整笠木の上面壁には、室内外方向に傾斜する勾配が形成されるとともに、前記束柱の下面には、該束柱が鉛直方向に立設するように、前記調整笠木の上面壁の勾配に対応して傾斜する勾配が形成されている請求項１〜４いずれかに記載のベランダ用柵。
【請求項６】
前記束柱の下面には、前記調整笠木の上面壁を裏面側から貫く固定ネジを螺設するネジ孔が設けられるとともに、
前記ネジ孔は、前記笠木本体の連結部と前記調整笠木の被連結部とが室内外方向の異なる位置で係合して固定される範囲内で、前記固定ネジが挿入可能に形成されている請求項１〜５いずれかに記載のベランダ用柵。
【請求項７】
前記笠木本体の連結部と前記調整笠木の被連結部とが室内外方向の異なる位置で段階的に係合して固定され、
前記ネジ孔は、前記笠木本体の連結部と前記調整笠木の被連結部とが室内外方向の異なる位置で段階的に係合して固定されるのに対応して、前記固定ネジが段階的に挿入可能なように複数のネジ孔が独立的に又は連結的に形成されている請求項６記載のベランダ用柵。
【発明の詳細な説明】
【技術分野】
【０００１】
本発明は、パラペット躯体の上端面にベースアンカを固着し、そのベースアンカに笠木を固定してその笠木の屋外側垂下壁と屋内側垂下壁とで前記パラペット躯体の上端部の屋外側面と屋内側面を隠蔽するとともに、前記パラペット躯体の上端部から所定間隔で支柱を設け、パネルを上胴縁と前記笠木との間に隙間を空けた状態で支柱に取り付けられた下胴縁とによって支持させるようにしたベランダ用柵に関する。
【背景技術】
【０００２】
従来より、パラペット躯体の屋外側面と屋内側面をモルタル仕上げ又はタイル仕上げをし、そのパラペット躯体の頂部にベースアンカを介して笠木を取付けるとともに、前記パラペット躯体に立設される支柱にパネルを固定したベランダ用柵が知られている。
【０００３】
例えば、下記特許文献１には、通常の高さより低い開口部用腰壁と、この開口部用腰壁の両側に配置された通常の高さの一対の腰壁と、上面が前記一対の腰壁の上端面と連続するように前記一対の腰壁の対向する側端面の上部を連結した笠木取付金具と、この笠木取付金具、前記開口部用腰壁および前記一対の腰壁で囲まれた開口部に取付けた開口化粧枠とを備えるとともに、この開口化粧枠にアクリル板を嵌め込んだ付属構造物が記載されている。
【特許文献１】特開平８−２０９７９８号公報
【発明の開示】
【発明が解決しようとする課題】
【０００４】
しかしながら、上記特許文献１記載の構造では、前記開口化粧枠により、笠木を納まりよく取り付けることができるようになるものの、パラペット躯体の開口部の開口部用腰壁及び一対の腰壁に直接開口化粧枠が取り付けられるため、風通しが悪いという問題があった。
【０００５】
かかる問題を解決するため、パラペット躯体（前記開口部用腰壁）に複数の支柱を立設し、周囲のパラペット躯体から離間させた状態で、前記支柱にパネルを固定する支持構造が採用されている。このようなパネルの支持構造では、従来より、パネル下端では、パネルの下端縁に沿って設けられる下胴縁が前記支柱に固定されることによってパネル自重が支持されていた。
【０００６】
ところが、パラペット躯体からパネルを離間した状態で、所定間隔で立設された支柱に前記下胴縁を固定した場合、支柱の立設位置の中間で前記下胴縁が撓んでしまうおそれがあった。そこで、このような支柱間の撓み防止のため、パラペット笠木と下胴縁との間に束柱を立設する対策が採られている。
【０００７】
一方、本出願人は、近時、パラペット躯体の上端面にベースアンカを固着し、そのベースアンカに笠木を固定してその笠木の屋外側垂下壁と屋内側垂下壁とで前記パラペット躯体の上端部の屋外側面と屋内側面を隠蔽するパラペット装置において、前記笠木は、ベースアンカに固定される笠木本体と、その笠木本体に連結される調整笠木とに分割して構成され、前記笠木本体は、前記ベースアンカの上方を覆う上面壁の屋内側端部に前記屋内側垂下壁を有するとともに、前記上面壁の屋外側端部に連結部を有し、前記調整笠木は、前記笠木本体の上面壁の屋外側部分を被覆する上面壁を有するとともに、その上面壁の屋外側端部から垂下し、パラペット躯体の屋外側の外装材の屋外側面に当接する前記屋外側垂下壁を有し、その屋外側垂下壁の上部の屋内側面に前記笠木本体の連結部と屋内外方向の異なる位置で係合して固定される被連結部を有することを特徴とするパラペット装置に関する発明を行っている。
【０００８】
かかる発明によれば、笠木の内外両側の垂下壁の間隔は、笠木本体の連結部に対する調整笠木の被連結部の固定位置を選択することにより、任意に設定することができるようになる。従って、一種類の笠木で外装材の各種の厚みに対応することができるようになる。また、少なくとも、調整笠木の垂下壁は屋外側外装材の外面に密着可能であるので、少なくとも笠木の少なくとも屋外側部分が外装材から張り出さないように施工することができるようになるなどの効果を有する。
【０００９】
ところが、笠木本体の連結部に対して調整笠木の被連結部の固定位置を選択可能に設けると、前記下胴縁の撓み防止のために立設した束柱との位置関係によっては、束柱がパラペット笠木の上面に立設できず、束柱によって適切に支持されない結果となる。
【００１０】
そこで本発明の主たる課題は、一種類の笠木で各種の厚さの外装材に対応することができ、かつ、笠木をパラペット躯体の外装材から張り出すことなく取り付けできるようにした構造条件の下で、支柱を立てて上方にパネルを配設する際、パネル下端縁に沿って設けられる下胴縁を支持する束柱を笠木の上面で支持可能としたベランダ用柵を提供することにある。
【課題を解決するための手段】
【００１１】
前記課題を解決するために請求項１に係る本発明として、パラペット躯体の上端面にベースアンカを固着し、そのベースアンカに笠木を固定してその笠木の屋外側垂下壁と屋内側垂下壁とで前記パラペット躯体の上端部の屋外側面と屋内側面を隠蔽するとともに、前記パラペット躯体の上端部から所定間隔で支柱を設け、パネルを上胴縁と前記笠木との間に隙間を空けた状態で支柱に取り付けられた下胴縁とによって支持させるようにしたベランダ用柵であって、
前記笠木は、ベースアンカに固定される笠木本体と、その笠木本体に連結される調整笠木とに分割して構成され、
前記笠木本体は、前記ベースアンカの上方を覆う上面壁の屋内側端部に前記屋内側垂下壁を有するとともに、前記上面壁の屋外側端部に連結部を有し、
前記調整笠木は、前記笠木本体の上面壁の屋外側部分を被覆する上面壁を有するとともに、その上面壁の屋外側端部から垂下し、パラペット躯体の屋外側の外装材の屋外側面に当接する前記屋外側垂下壁を有し、その屋外側垂下壁の上部の屋内側面に前記笠木本体の連結部と屋内外方向の異なる位置で係合して固定される被連結部を有し、
前記下胴縁は、前記支柱間において前記調整笠木との間に束柱を立設することによって支持され、
少なくとも、前記笠木本体の連結部と前記調整笠木の被連結部とが室内外方向の異なる位置で係合して固定される範囲内で、前記束柱の下面が前記調整笠木の上面壁に当接するように、前記調整笠木の上面壁の室内外方向の幅寸法が設定されていることを特徴とするベランダ用柵が提供される。
【００１２】
上記請求項１記載の発明では、前記笠木は、ベースアンカに固定される笠木本体と、その笠木本体に連結される調整笠木とに分割して構成され、前記笠木本体は、前記ベースアンカの上方を覆う上面壁の屋内側端部に前記屋内側垂下壁を有するとともに、前記上面壁の屋外側端部に連結部を有し、前記調整笠木は、前記笠木本体の上面壁の屋外側部分を被覆する上面壁を有するとともに、その上面壁の屋外側端部から垂下し、パラペット躯体の屋外側の外装材の屋外側面に当接する前記屋外側垂下壁を有し、その屋外側垂下壁の上部の屋内側面に前記笠木本体の連結部と屋内外方向の異なる位置で係合して固定される被連結部を有する構造とされているため、笠木の内外両側の垂下壁の間隔は、笠木本体の連結部に対する調整笠木の被連結部の固定位置を選択することにより、任意に設定することができるようになる。従って、一種類の笠木で外装材の各種の厚みに対応することができるようになる。また、少なくとも、調整笠木の垂下壁は屋外側外装材の外面に密着可能であるので、少なくとも笠木の少なくとも屋外側部分が外装材から張り出さないように施工することができるようになる。
【００１３】
本発明は、このようなパラペット笠木装置の上方に、パネルを配設する際に好適なパネルの支持構造である。具体的には、前記パネルは、前記手摺りに設けられた上胴縁と、前記笠木との間に隙間を空けた状態で支柱に取り付けられた下胴縁とによって支持されている。さらに、前記下胴縁は、前記支柱間において前記調整笠木との間に束柱を立設することによって支持されている構造条件の下で、前記調整笠木の上面壁の室内外方向の幅寸法は、少なくとも前記笠木本体の連結部と前記調整笠木の被連結部とが室内外方向の異なる位置で係合して固定される範囲内で、前記束柱の下面が前記調整笠木の上面壁に当接するように設定されている。従って、パラペット笠木本体の連結部に対する調整笠木の被連結部の固定位置を任意に選択しても、下胴縁と調整笠木との間に立設される束柱は、調整笠木の上面壁に適切に当接して下胴縁を確実に支持できるようになり、これによって下胴縁の撓みが防止できるようになる。
【００１４】
請求項２に係る本発明として、前記笠木本体の連結部は、前記笠木本体の上面壁の屋外側端部に屋外方向に開口する所定深さの嵌合溝からなり、前記調整笠木の被連結部は、前記調整笠木の屋外側垂下壁の屋内側面に突設され、前記笠木本体の嵌合溝に強制嵌合して固定される被嵌合部からなる請求項１記載のベランダ用柵が提供される。
【００１５】
上記請求項２記載の発明では、笠木本体に嵌合溝を備え、調整笠木にはその嵌合部に強制嵌合される被嵌合部を備えるので、笠木本体と調整笠木の形状を単純化することができる。
【００１６】
請求項３に係る本発明として、前記笠木本体の嵌合溝は、その上下に隔てて存在する壁面に互いに対向する鋸歯状係止面を設けてなるものであり、前記調整笠木の被嵌合部は、上下に隔てられた平行な板の先端に前記嵌合溝の上下の鋸歯状係止面に係止される爪を設けてなるものである請求項２記載のベランダ用柵が提供される。
【００１７】
上記請求項３記載の発明では、笠木本体の鋸歯状係止面に調整笠木の上下の板の先端の爪を強制嵌合するので、強制嵌合が比較的容易にでき、しかも、笠木本体と調整笠木が堅固に連結される。
【００１８】
請求項４に係る本発明として、前記調整笠木の被嵌合部は、前記調整笠木とは別に成形された短尺物であり、前記調整笠木の屋外側垂下壁の長手方向に間隔をおいて装着されている請求項２、３いずれかに記載のベランダ用柵が提供される。
【００１９】
上記請求項４記載の発明では、被嵌合部が短尺に形成され、間隔をおいて取り付けられるので、被嵌合部が長尺の場合に比し、小さい力で嵌合連結ができるとともに、材料節減効果が得られる。
【００２０】
請求項５に係る本発明として、前記調整笠木の上面壁には、室内外方向に傾斜する勾配が形成されるとともに、前記束柱の下面には、該束柱が鉛直方向に立設するように、前記調整笠木の上面壁の勾配に対応して傾斜する勾配が形成されている請求項１〜４いずれかに記載のベランダ用柵が提供される。
【００２１】
上記請求項５記載の発明は、前記調整笠木の上面壁に室内外方向に傾斜する勾配が形成される場合の前記束柱の構成を規定したものである。この場合、前記束柱の下面に、該束柱が鉛直方向に立設するように、前記調整笠木の上面壁の勾配に対応して傾斜する勾配を形成するようにする。これにより、束柱が常に鉛直に立設した状態で下胴縁を支持できるようになる。
【００２２】
請求項６に係る本発明として、前記束柱の下面には、前記調整笠木の上面壁を裏面側から貫く固定ネジを螺設するネジ孔が設けられるとともに、
前記ネジ孔は、前記笠木本体の連結部と前記調整笠木の被連結部とが室内外方向の異なる位置で係合して固定される範囲内で、前記固定ネジが挿入可能に形成されている請求項１〜５いずれかに記載のベランダ用柵が提供される。
【００２３】
上記請求項６記載の発明は、束柱と調整笠木とを固定ネジで係合させる場合の束柱の構成を規定したものである。この場合、束柱の下面に、前記笠木本体の連結部と前記調整笠木の被連結部とが室内外方向の異なる位置で係合して固定される範囲内で、固定ネジを挿入可能なネジ孔を設けるようにする。束柱の下面に設けたネジ孔に固定ネジを挿入することによって、位置ズレが防止できるようになる。
【００２４】
請求項７に係る本発明として、前記笠木本体の連結部と前記調整笠木の被連結部とが室内外方向の異なる位置で段階的に係合して固定され、
前記ネジ孔は、前記笠木本体の連結部と前記調整笠木の被連結部とが室内外方向の異なる位置で段階的に係合して固定されるのに対応して、前記固定ネジが段階的に挿入可能なように複数のネジ孔が独立的に又は連結的に形成されている請求項６記載のベランダ用柵が提供される。
【００２５】
上記請求項７記載の発明は、上記請求項６記載の発明において、前記笠木本体の連結部と前記調整笠木の被連結部とが室内外方向の異なる位置で段階的に係合して固定される場合、束柱の下面に形成されるネジ孔の構造を具体的に規定したものである。すなわち、前記パラペット笠木本体の連結部と前記調整笠木の被連結部とが室内外方向の異なる位置で段階的に係合して固定される場合、これに対応して、前記固定ネジが段階的に挿入可能な複数のネジ孔を独立的に又は連結的に形成するようにする。このように、外装材の板厚に対応して調整笠木の移動ピッチと同じピッチで前記複数のネジ孔を設けることによって、調整笠木の位置出しが容易となる。
【発明の効果】
【００２６】
以上詳説のとおり本発明によれば、一種類の笠木で各種の厚さの外装材に対応することができ、かつ、笠木をパラペット躯体の外装材から張り出すことなく取り付けできるようにした構造条件の下で、支柱を立てて上方にパネルを配設する際、パネル下端縁に沿って設けられる下胴縁を支持する束柱を笠木の上面で適切に支持できるベランダ用柵が提供される。
【発明を実施するための最良の形態】
【００２７】
以下、本発明の実施の形態について図面を参照しながら詳述する。
【００２８】
図１は本発明に係るベランダ用柵Ｖを示す斜視図、図２はその平面図、図３は図２の正面図、図４は図２の側面図である。
【００２９】
本ベランダ用柵Ｖは、パラペット躯体１の上端面に所定の手段によって笠木４を固定して、その笠木４の屋外側垂下壁と屋内側垂下壁とで、パラペット躯体１の上端部の屋外側面と屋内側面を隠蔽するパラペット笠木装置Ｐを備えるとともに、前記パラペット躯体１の上端部から所定間隔で立設される複数の支柱１０、１０…の上端部に手摺Ｈを連設し、前記パラペット笠木装置Ｐの上方に配設されるパネル８を、前記手摺りＨに設けられた上胴縁９Ａと、前記笠木４との間に隙間を空けた状態で支柱１０，１０…に取り付けられた下胴縁９とによって支持するものである。
【００３０】
さらに具体的には、図５及び図６に示されるように、前記パネル８は、次の３つの手段によって支持されている。第１に、パネル８の上端縁を支持する上胴縁９Ａが手摺Ｈに一体的に設けられることによって支持されている。第２に、図６に示されるように、前記パネル８の下端縁に沿って設けられる下胴縁９が、支柱１０、１０…の各立設位置において支柱１０に固定されることによって支持されている。さらに第３に、図５に示されるように、支柱１０、１０…の立設位置の中間において、下胴縁９と笠木４との間に束柱１１を立設することによって支持されている。
【００３１】
以下、前記パラペット笠木装置Ｐとパネル８の支持構造とに分けて詳述する。
〔パラペット笠木装置Ｐについて〕
図７は本実施例に係るパラペット笠木装置Ｐの断面図、図８はベースアンカの一例を示す斜視図、図９は笠木本体の端面図、図１０は調整笠木の分解端面図、図１１は調整笠木の下面を上向きにした斜視図、図１２はタイト材の一例及びその取付例を示す要部断面図、図１３は厚みの大きい外装材を取り付けた時の状態を示す断面図である。
【００３２】
パラペット躯体１の上端面には、所定の間隔で図８に示すようなベースアンカ２が、中間の平坦部２ａにおいてコーチスクリューなどのねじ３により固着されている。ベースアンカの平坦部２ａの両側に設けられた立ち上がり壁２ｂ，２ｂ’の上端部には、高さが異なる笠木支持部２Ｃ，２Ｃ’が設けられ、高さが高い方（２Ｃ’）をパラペット躯体１の上端面の屋外側に位置させて、ベースアンカは取り付けられる。笠木支持部２Ｃ，２Ｃ’の先端には下向きに傾斜する係止部２ｄ，２ｄ’が形成されている。図８の２ｅはねじ３を貫通する孔である。
【００３３】
ベースアンカ２により固定される笠木４は、本発明に基づいて、笠木本体４Ａと、調整笠木４Ｂとに分割して構成され、調整笠木４Ｂを笠木本体４Ａに対してパラペット躯体１の厚さ方向に移動して、笠木４の幅を任意に調整可能としてある。以下に、詳述する。
【００３４】
笠木本体４Ａは、図９に抽出して示すように、パラペット躯体１の上端面の幅よりも大きい幅を有する上面壁４１と、その上面壁の屋内側端部から垂下する屋内側垂下壁４２と、上面壁の屋外側端部に設けらた連結部４３とを一体的に有していて、図９の紙面に直角な方向に連続している。好ましい実施例では、屋内側垂下壁４２の下端部にフィン状の防水部材を装着するためのビスホール状のあり溝４４が形成されている。また、好ましい実施例では、上面壁４１の下面の屋内側垂下壁４２から所定距離だけ屋外側に隔てた位置に、ベースアンカ２の屋内側係止部２ｄの下側に係止される被係止片４５が形成されている。さらに、好ましい実施例では、その被係止片４５に一体に、後述される水密部材を嵌着するためのビスホール状のあり溝４６が形成されている。あり溝４６は被係止片４５と別の位置に設けても良い。
【００３５】
連結部４３は、上面壁４１を屋外方向に延長した上板４３ａと、その上板４３ａの下方にこれと平行な下板４３ｂとを有し、その間に屋外方向に開口する嵌合溝４３ｃが形成してあり、上、下板４３ａ，４３ｂの対向面に波状の係止面４３ｄが形成されている。
【００３６】
そして、好ましい実施例では、下板４３ｂの屋内側端部に被係止片４５と対向して突出する被係止片４７が形成されている。さらに、好ましい実施例では、下板４３ｂの屋外側端部に、あり溝４６と同様の、後述される水密部材を嵌着するためのあり溝４８が形成されている。
【００３７】
調整笠木４Ｂは、図１０に示されるように、笠木本体４Ａの上面壁４１の屋外側部分を被覆してこれに当接される上面壁４９と、その上面壁の屋外側端部から垂下する屋外側垂下壁４１０と、これより屋内側で垂下する第２屋外側垂下壁４１０Ａと、その第２屋外側垂下壁４１０Ａの屋内側面の所定位置に設けられた被連結部４１１とを有している。被連結部４１１は、屋内方向に平行に延びて、若干の弾力性を備えた上下の板４１１ａ，４１１ｂを有し、各板の先端にそれぞれ上向き及び下向きの係止部４１１ａ’，４１１ｂ’が形成されている。
【００３８】
被連結部４１１は、調整笠木４Ｂと一体に成形されても良いが、図１０に示すように、後述される理由から、調整笠木４Ｂとは別体に上下板４１１ａ，４１１ｂと脚部４１１ｃ，４１１ｄを有する被連結部４１１を成形して、これを短尺に切断したものを、調整笠木４Ｂの第２屋外側垂下壁４１０Ａの屋内側面に成形したあり溝４１２に調整笠木４Ｂの長手方向に適宜の間隔を置いて嵌着することが望ましい。
【００３９】
続いて、上記のように構成された本実施例の笠木４を、パラペット躯体１に取り付ける場合の手順について説明する。パラペット躯体１には、図７に示すように、その屋内側と屋外側に建物躯体の外装材と同じ外装材５ａ，５ｂ、例えば、既知のサイディング材が胴縁（不図示）を介して既知の方法により取り付けられている。その外装材の上端部はパラペット躯体１の上端面とほぼ同一面にある。そのパラペット躯体１の上端面にはベースアンカ２がねじ３により固定されている。
【００４０】
そのベースアンカ２に笠木４を取り付ける前に、笠木本体４Ａの下面のあり溝４６，４８には、図１２に一部を示すように、下方に突出するタイト材６が嵌着される。このタイト材６は、あり溝４８の断面形状と補完的な形状を有する突条６１を有する硬質の基部６２の、突条６１と反対側の面にフィン状の弾性材料からなる水密部材６３を接合してなるものである。また、笠木本体４Ａの屋内側垂下壁４２のあり溝４４にフィン状の防水部材（図示せず）を嵌着してもよい。この防水部材は、笠木４が取り付けられた状態で、その防水部材の先端が屋内側外装材５ａの屋内側面に密着することができる幅を有するものが用いられる。
【００４１】
次に、調整笠木４Ｂを笠木本体４Ａの屋外側端部の所定位置に位置合わせをし、調整笠木の被連結部４１１を笠木本体４Ａの連結部４３の嵌合溝４３ｃに向けて接近し、暫定的に所定位置まで移動して、被連結部４１１を嵌合溝４３ｃの中に押入し、その嵌合溝の適当な深さにおいて、係止部４１１ａ’，４１１ｂ’を嵌合溝の上下板の係止面４３ｄに係止させる。暫定的に嵌合する所定位置は、パラペット躯体の屋外側の外装材５ａの厚さに応じて決定される。
【００４２】
この被連結部４１１の連結部４３に対する嵌合の際に、被連結部４１１が調整笠木４Ｂの全長に沿って連続する場合は、係止部４１１ａ’，４１１ｂ’と係止面４３ｄとの摩擦が過大になり、調整笠木を笠木本体にして所要の位置まで移動させることが困難になる。これに対して、被連結部４１１を短尺物に形成した場合は、容易に所定の位置まで移動させることができるとともに、使用される被連結部４１１の全長が短くなるので、材料削減効果が得られる。
【００４３】
上述のように、笠木本体４Ａに調整笠木４Ｂを暫定的に連結した状態の笠木４を、ベースアンカ２の上方から、内外の垂下壁４２，４１０の下端部が内外の外装材５ｂ，５ａの上端部のそれぞれ屋内側及び屋外側に位置するように下降させ、笠木本体４Ａの内外の係止部４５，４７がベースアンカ２の内外の係止部２ｄ，２ｄ’のテーパー面に当接させ、そのまま強く押し下げて、ベースアンカ２の内外の係止部２ｄ，２ｄ’を弾性変形させ、笠木本体の内外の係止部４５，４７にそれらの係止部２ｄ，２ｄ’を乗り越えさせて、弾性復帰により係合させる。これと同時に、内外のタイト材６は、それぞれ内外の外装材５ａ，５ｂの頂面に密着される。これにより、笠木４はパラペット躯体１の上端部に固定される。そして、最後に、調整笠木４Ｂに屋内方向の力を加えて、移動させると、調整笠木４Ｂの屋外側垂下壁４１０が屋外側外装材５ｂの屋外側面に密着する。
【００４４】
図７は、厚さが一例として１５ｍｍの外装材５ａ，５ｂの施工例を示すのに対し、図１３は、厚さが一例として２４ｍｍの外装材５ａ’，５ｂ’の施工例を示す。これらの図面から明らかなように、本発明によるパラペット笠木装置Ｐにおいては、外装材の厚さが異なる場合にも、同一構成の笠木４を用いて、調整笠木４Ｂの笠木本体４Ａに対する連結位置、あるいは嵌合深さを調整するだけで、各種の厚さの外装材に対応することができる。
【００４５】
〔パネル８の支持構造について〕
次に、パネル８の支持構造について詳述する。
【００４６】
本ベランダ用柵Ｖでは、図１などに示されるように、パラペット躯体１の上端部から所定間隔で複数の支柱１０、１０…が立設されている。前記支柱１０は、図１４及び図１５に示されるように、パラペット躯体１の上端部に立設された支柱アンカ２０に固定されている。前記支柱アンカ２０は、図１５に示されるように、断面略Ｌ字型のアンカープレート２０ａと、この上面に突設されたアンカー柱２０ｂとから構成されている。前記アンカープレート２０ａの上面および側面には、それぞれ、パラペット躯体１の上端面および屋内側面の上端部に螺設されるねじ２１が貫通する通孔２０ｃ、２０ｃ…が設けられている。また、前記アンカー柱２０ｂの屋内側面には、前記支柱１０が外嵌した状態で支柱１０をアンカー柱２０ｂに固定するための固定ねじ２２、２２…が螺合するネジ孔２０ｄ、２０ｄ…が設けられている。
【００４７】
前記支柱１０の取付けは、先ず支柱アンカ２０をねじ２１…によってパラペット躯体１に固定した後、図１５に示されるように、アンカー柱２０ｂが挿通可能な開口２３が設けられた笠木本体４Ａを支柱アンカ２０に挿嵌させる。そして、支柱１０をアンカー柱２０ｂに外嵌させ、笠木本体４Ａと支柱１０とをビス２４、２４…によって固定し、笠木本体４Ａをベースアンカ２に取付ける。しかる後、支柱１０とアンカー柱２０ｂとを固定ねじ２２…によって固定し、支柱１０の取付けを完了する。
【００４８】
前記支柱１０、１０…の上端部には、手摺Ｈが連設されている。前記手摺Ｈは、図５に示されるように、支柱１０の上端にビス２５、２５…によって固定される手摺裏板Ｈ１と、この手摺裏板Ｈ１に固定される手摺部材Ｈ２とから構成されている。前記手摺部材Ｈ２は、手摺裏板Ｈ１、支柱１０の上端及び前記上胴縁９Ａを一体的に被覆するように設けられている。
【００４９】
一方、パラペット笠木装置Ｐの上方には、パネル８が配設されている。前記パネル８は、ポリカーボネートなどのプラスチック、ガラス、木、格子状金属、パンチングメタルなど各種の材質・形態のものを使用することができる。このパネル８は、風通しなどを考慮してパラペット笠木４の上方に所定の離隔を開けて配設されている。図１〜図４に示される例では、ガラス製のパネル８がほぼ外周を囲うように、パラペット笠木４の上方に、パラペット笠木４から所定の離隔を空けて配設されている。
【００５０】
前記パネル８には、該パネル８の下端縁に沿って、パネル８の下端縁を室内外方向に跨って挟持する断面略Ｕ字状の下胴縁９が備えられるとともに、上端縁に沿って、同様に、断面略Ｕ字状の上胴縁９Ａが備えられている。本支持構造では、前記下胴縁９及び上胴縁９Ａがそれぞれ支柱１０、手摺Ｈに固定されるとともに下胴縁９と笠木４との間に束柱１１が立設されることによって、パネル８が支持されているが、前記上胴縁９Ａは手摺りＨとは別に支柱１１に固定するようにしてもよい。
【００５１】
前記上胴縁９Ａは、該上胴縁９Ａの屋内側に設けられた係合溝９Ａａが、前記手摺Ｈの手摺裏板Ｈ１の屋外側に設けられた起立壁Ｈ１ａに係合されることによって固定されている。
【００５２】
前記下胴縁９は、図６に示されるように、支柱１０の立設位置において、前記下胴縁９の底面と支柱１０とを連結する連結具９Ｂによって各支柱１０に固定されている。
【００５３】
また、前記下胴縁９は、支柱１０、１０の立設位置の中間において、下胴縁９と調整笠木４Ｂとの間に束柱１１を立設することによって支持されている。
【００５４】
前記束柱１１は、図１６に示されるように、柱状のブロック体からなり、アルミニウム合金などの耐食性に優れた材質のものが用いられている。
【００５５】
束柱１１の上面には、図１６(A)に示されるように、下胴縁９の長手方向に沿って２箇所にネジ孔１１ａ、１１ａが設けられている。前記束柱１１は、図１７に示されるように、下胴縁９の底面に設けられたビス穴９ａに螺合されるとともに、前記ネジ孔１１ａに螺設される固定ビス９ｂによって、前記下胴縁９に固定されている。
【００５６】
一方、束柱１１の下面は、例えば図１７(A)に示されるように、調整笠木４Ｂの上面壁４９にビス止めされることなく当接させた状態で設置することができる。ここで、束柱１１の上面が固定される下胴縁９は、前述の通り支柱１０に固定されているため、束柱１１は位置不動である。これに対して、束柱１１の下面が当接する調整笠木４Ｂは、外装材５ｂの厚さに応じて、室内外方向に変動して固定されるものである。したがって、束柱１１が下胴縁９を確実に支持するには、調整笠木４Ｂが異なる位置で固定されても、少なくともその範囲で、束柱１１の下面が調整笠木４Ｂの上面壁４９に当接していることが重要となる。
【００５７】
このため、本発明では、調整笠木４Ｂの上面壁４９の室内外方向の幅寸法は、パラペット笠木本体４Ａの連結部４３と調整笠木４Ｂの被連結部４１１とが室内外方向の異なる位置で係合して固定されても、その範囲内で、束柱１１の下面が調整笠木４Ｂの上面壁４９に当接するように設定されている。
【００５８】
ところで、前記束柱１１が前記調整笠木４Ｂの上面壁４９と位置ズレを起こさないように、束柱１１の下面には、図１６(C)に示されるように、調整笠木４Ｂの上面壁４９に設けられたネジ孔４９ａに裏面側から螺合される固定ネジ１２の先端が挿入されるネジ孔１３を形成し、図１７(B)に示されるように、前記調整笠木４Ｂの上面壁４９に固定ネジ１２で固定するようにしてもよい。
【００５９】
ここで、前記ネジ孔１３は、パラペット笠木本体４Ａの連結部４３と調整笠木４Ｂの被連結部４１１とが室内外方向の異なる位置で係合して固定される範囲内で、前記固定ネジ１２が挿入可能に形成されるようになっている。
【００６０】
前記ネジ孔１３は、パラペット笠木本体４Ａの連結部４３と調整笠木４Ｂの被連結部４１１とが室内外方向の異なる位置で係合して固定される範囲内で、固定ネジ１２が段階的に挿入可能なように、複数のネジ孔１３が独立的に又は連結的に形成されるようにする。図示例では、外装材５ｂの厚さを３段階に変化させた場合に対応するように３つのネジ孔（室内側から１３ａ、１３ｂ、１３ｃ）が連結的に形成されている。
【００６１】
具体的には、図１８(A)〜(C)に示されるように、外装材５ｂの板厚が(A)厚い場合、(B)中間の場合、(C)薄い場合の各寸法に対応して、笠木本体４Ａの嵌合溝４３ｃの各係止面４３ｄ、４３ｄには、３段の凹部が形成されることによって、この係止面４３ｄの凹部に被連結部４１１の係止部４１１ａ’、４１１ｂ’が所定のピッチで段階的に係合するようになっている（図９及び図１０参照）。したがって、前記ネジ孔１３ａ、１３ｂ、１３ｃのピッチを、前記係止面４３ｄに形成した３段の凹部と同じピッチとすることにより、前記束柱１１は、調整笠木４Ｂの各固定位置において、調整笠木４Ｂの上面壁４９に確実に支持されるようになる。このように、ある程度決まった板厚の外装材５ｂに対して、調整笠木４Ｂの移動ピッチと同じピッチで複数のネジ孔１３ａ、１３ｂ、１３ｃを設けておくことにより、調整笠木４Ｂの位置出しが容易に行えるようになる。
【００６２】
ところで、一般に調整笠木４Ｂの上面壁４９には、水はけなどを考慮して、水平面に対して室内外方向に傾斜する勾配が形成されて設けられることが多い。このような場合でも束柱１１が鉛直方向に立設できるようにするため、束柱１１の下面には、調整笠木４Ｂの上面壁４９の勾配に対応して傾斜する勾配が形成されている。図１６及び図１７に示される例では、調整笠木４Ｂの上面壁４９には室内側に向けて低くなる勾配が形成されるため、この勾配に対応して、束柱１１の下面には、束柱１１が鉛直方向に立設できるように、室内側に向けて低くなる勾配が形成されている。
【００６３】
〔他の形態例〕
上記形態例では、前記束柱１１の下面には、調整笠木４Ｂの移動ピッチと同じピッチで複数のネジ孔１３ａ、１３ｂ、１３ｃが設けられるようにしたが、図１９に示されるように、内面に細かい溝１３ｄが施された長孔状のネジ孔１３’を設けるようにしてもよい。前記ネジ孔１３’の内面に施される細かい溝１３ｄは、挿入される固定ネジ１２が係合して束柱１１の移動を抑止するためのものである。前記長孔状のネジ孔１３’とすることにより、調整笠木４Ｂを任意の位置で固定しても束柱１１の位置ズレを防止できるようになる。
【図面の簡単な説明】
【００６４】
【図１】ベランダ用柵Ｖの斜視図である。
【図２】その平面図である。
【図３】図２の正面図である。
【図４】図２の側面図である。
【図５】図３のＶ−Ｖ線矢視図である。
【図６】図３のVI−VI線矢視図である。
【図７】パラペット笠木装置Ｐの断面図である。
【図８】ベースアンカ２の一例を示す斜視図である。
【図９】笠木本体４Ａの端面図である。
【図１０】調整笠木４Ｂの分解端面図である。
【図１１】調整笠木４Ｂの下面を上向きにした斜視図である。
【図１２】タイト材６の一例及びその取付例を示す要部断面図である。
【図１３】厚みの大きい外装材５ｂを取り付けた時の状態を示す断面図である。
【図１４】支柱１０の立設位置におけるパラペット笠木装置Ｐの断面図である。
【図１５】支柱１０の取付要領を示す斜視図である。
【図１６】束柱１１を示す(A)は上面図、(B)は側面図、(C)は下面図である。
【図１７】束柱１１の取付状態例を示す要部拡大図(A)(B)である。
【図１８】外装材５ｂの板厚が(A)は厚い場合、(B)は中間の場合、(C)は薄い場合の束柱１１の固定状態を示す断面図である。
【図１９】束柱１１の他の形態例を示す下面図である。
【符号の説明】
【００６５】
１…パラペット躯体、２…ベースアンカ、４…笠木、４Ａ…笠木本体、４１…上面壁、４２…屋内側垂下壁、４３…連結部、４３ａ・４３ｂ…上下の板、４３ｃ…嵌合溝、４３ｄ…係止面、４５・４７…係止部、４Ｂ…調整笠木、４９…上面壁、４１０…屋外側垂下壁、４１１…被連結部、４１１ａ・４１１ｂ…上下の板、４１１ａ’・４１１ｂ’…係止部、５ａ・５ｂ…外装材、６…タイト材、８…パネル、９…下胴縁、１０…支柱、１１…束柱、１２…固定ネジ、１３・１３’…ネジ孔、Ｈ…手摺、Ｐ…パラペット笠木装置、Ｖ…ベランダ用柵
【図１】
2010024669.tif 000003
【図２】
2010024669.tif 000004
【図３】
2010024669.tif 000005
【図４】
2010024669.tif 000006
【図５】
2010024669.tif 000007
【図６】
2010024669.tif 000008
【図７】
2010024669.tif 000009
【図８】
2010024669.tif 000010
【図９】
2010024669.tif 000011
【図１０】
2010024669.tif 000012
【図１１】
2010024669.tif 000013
【図１２】
2010024669.tif 000014
【図１３】
2010024669.tif 000015
【図１４】
2010024669.tif 000016
【図１５】
2010024669.tif 000017
【図１６】
2010024669.tif 000018
【図１７】
2010024669.tif 000019
【図１８】
2010024669.tif 000020
【図１９】
2010024669.tif 000021